(57)【要約】【課題】治具を用いずに容易にコネクタハウジングから端子を抜くことができるコネクタを提供する。【解決手段】コネクタハウジング２０と、前記コネクタハウジング内に形成された外部端子を収納する端子収納室２４と、前記端子収納室２４内に片持ち支持で設けられ先端部に突起６０を有するランス２５とを有し、前記ランス２５と前記端子収納室２４の上内壁６６との間に、前記コネクタハウジング２０とは別体のキー３３が挿入される空隙を有するコネクタにおいて、前記ランス２５の突起６０の先端に、前記キー３３が前記空隙に挿入された状態で端子係止位置に突出して前記端子１０を係止する端子係止用テーパ面６２と、前記端子係止用テーパ面６２と逆向きの傾斜を有し前記キー３３を外した状態で前記端子１０を引き抜き方向に付勢したときに前記端子１０の被係止部１２により前記ランス２５の突起６０を前記空隙内に案内するための係止解除用テーパ面６４とを有する。【選択図】図１
2008052974.tif 000002
【特許請求の範囲】
【請求項１】
コネクタハウジングと、前記コネクタハウジング内に形成された外部端子を収納する端子収納室と、前記端子収納室内に片持ち支持で設けられ先端部に突起を有するランスとを有し、前記ランスと前記端子収納室の内壁との間に、前記コネクタハウジングとは別体のキーが挿入される空隙を有するコネクタにおいて、
前記ランスの突起の先端に、前記キーが前記空隙に挿入された状態で端子係止位置に突出して前記端子を係止する端子係止用テーパ面と、前記端子係止用テーパ面と逆向きの傾斜を有し前記キーを外した状態で前記端子を引き抜き方向に付勢したときに前記端子の被係止部により前記ランスの突起を前記空隙内に案内するための係止解除用テーパ面とを有することを特徴とするコネクタ。
【請求項２】
前記係止解除用テーパ面は、前記キーを外した状態において前記端子の被係止部に対向する位置にあることを特徴とする請求項１記載のコネクタ。
【請求項３】
前記係止用テーパ面は、前記キーが挿入されて前記ランスの背面に接した状態において前記端子の被係止部に対向する位置にあることを特徴とする請求項１又は２記載のコネクタ。
【請求項４】
前記ランスは、前記キーが挿入されて前記ランスの先端背面に接した仮係止状態において前記端子の挿入により非係止位置に後退可能であることを特徴とする請求項１〜３のいずれか記載のコネクタ。
【請求項５】
前記端子収納室の前記内壁にキー逃げ部が形成され、前記ランスは、前記キーが挿入されて前記ランスの先端背面に接した仮係止状態において前記端子の挿入により非係止位置に後退可能であることを特徴とする請求項１〜３のいずれか記載のコネクタ。
【発明の詳細な説明】
【技術分野】
【０００１】
本発明は、例えば自動車等で使用されるワイヤハーネス用のコネクタに関し、更に詳しくは端子を抜くときに特別な治具が不要なコネクタに関するするものである。
【背景技術】
【０００２】
従来のこの種のコネクタは、図６に示すように、電線１５が接続された雌端子１０を収容する雌側のコネクタハウジング２０（以下、雌ハウジングという）と、一括型の防水ゴム栓４０と、これを保持するゴム栓カバー５０とを備えて構成されている。
【０００３】
雌ハウジング２０は合成樹脂製であって、横長断面のタワー部２１の前端側の周りにフード部２２が形成された形状となっている。タワー部２１内には、上記の雌端子１０を後方から挿入可能とした端子収納室２４が、紙面と直交方向に並んで形成されている。各端子収納室２４の天井面にはランス２５が形成されており、それぞれ上方の撓み空間２６に向けて撓み変形可能となっている。各撓み空間２６は前方（図６中左方）に開口している。タワー部２１におけるフード部２２内の奥側に寄った位置の外周面には、シールリング２８が嵌着されている。
【０００４】
タワー部２１の前面側には、フロントホルダ３０が装着可能となっている。フロントホルダ３０は合成樹脂製でキャップ状に形成され、その表面板３１には、各端子収納室２４と対応した位置ごとに、相手の雄端子のタブが挿入される端子挿入口３２が開口されているとともに、表面板３１の裏面には、ランス２５の撓み空間２６内に突入可能なキー３３が突設されている。
【０００５】
このフロントホルダ３０は、キー３３がランス２５の撓み空間２６の手前に退避した仮係止位置（図６参照）と、突入片３３がランス２５の撓み空間２６内に突入した本係止位置（図８参照）とでそれぞれ保持可能とされている。
【０００６】
タワー部２１の上面には、図示しない相手の雄側のコネクタハウジングとの間を嵌合状態にロックするためのロックアーム３５が形成されている。一方、フード部２２の上面の幅方向の中央部において、先端から少し入った位置から奥端に向けて窓孔３６が切り欠き形成されている。
【０００７】
ロックアーム３５は、上記の窓孔３６の前縁の位置からタワー部２１の後縁に達する前後方向に細長い形状に形成され、先端寄りの位置に被係止孔３７が開口されている。また、フード部２２の奥壁と対応する位置において支点部３８によりタワー部２１の上面と連結されており、したがって、ロックアーム３５は、その後端側をタワー部２１の後端側の上面との間に形成された傾動許容空間３９に進入させつつ、支点部３８を中心としてシーソ状に傾動可能とされている。
【０００８】
雌ハウジング２０が相手の雄ハウジングに嵌合されると、ロックアーム３５が弾性的に傾動しつつ嵌合され、正規位置まで嵌合されると、ロックアーム３５が復動して被係止孔３７に雄ハウジングの係止突起（図示せず）が係止することで、雌雄のハウジングが嵌合状態にロックされるようになっている。
【０００９】
タワー部２１の後面には、一括型の防水ゴム栓４０が装着されている。タワー部２１の後面には更に、防水ゴム栓４０の外れ止めに機能するゴム栓カバー５０が装着されている。
【００１０】
雌端子１０は途中でランス２５を撓み変形させつつ押し込まれ、所定位置まで挿入されると、ランス２５が復元してあご部１２に係止することで、抜け止め状態に一次係止されて収容される（図８参照）。
【００１１】
すべての雌端子１０が上記と同じ要領で端子収容室２４内に収容されると、図８に示すように、フロントホルダ３０が本係止位置に押し込まれて保持される。ここでは、フロントホルダ３０のキー３３が撓み空間２６内に突入するため、ランス２５の撓み変形が規制され、雌端子１０は間接的に二重係止される。
【特許文献１】特開２００４−６３３９３号公報（図１、図８、図１１）
【発明の開示】
【発明が解決しようとする課題】
【００１２】
しかしながら、上記構成では、端子１０を雌ハウジング２０から抜くには、フロントホルダ３０の係止を解除し、治具を用いてランス２５の解除を行い、その状態で電線１５を引っ張ることによる。したがって、治具によってランス解除をしながら電線１５を引っ張るため、作業がしづらいという問題がある。また、多くの端子１０を抜くには、その都度治具を挿入し、抜き作業を行うため、作業に長時間を要するという問題がある。
【００１３】
本発明の目的は、上記従来の問題を解消することにあり、治具を用いずに容易にコネクタハウジングから端子を抜くことができるコネクタを提供することにある。
【課題を解決するための手段】
【００１４】
本発明の上記目的は、下記構成により達成される。
（１）  コネクタハウジングと、前記コネクタハウジング内に形成された外部端子を収納する端子収納室と、前記端子収納室内に片持ち支持で設けられ先端部に突起を有するランスとを有し、前記ランスと前記端子収納室の内壁との間に、前記コネクタハウジングとは別体のキーが挿入される空隙を有するコネクタにおいて、
前記ランスの突起の先端に、前記キーが前記空隙に挿入された状態で端子係止位置に突出して前記端子を係止する端子係止用テーパ面と、前記端子係止用テーパ面と逆向きの傾斜を有し前記キーを外した状態で前記端子を引き抜き方向に付勢したときに前記端子の被係止部により前記ランスの突起を前記空隙内に案内するための係止解除用テーパ面とを有することを特徴とするコネクタ。
【００１５】
（２）  前記係止解除用テーパ面は、前記キーを外した状態において前記端子の被係止部に対向する位置にあることを特徴とする前記（１）記載のコネクタ。
【００１６】
（３）  前記係止用テーパ面は、前記キーが挿入されて前記ランスの背面に接した状態において前記端子の被係止部に対向する位置にあることを特徴とする前記（１）又は（２）記載のコネクタ。
【００１７】
（４）  前記ランスは、前記キーが挿入されて前記ランスの先端背面に接した仮係止状態において前記端子の挿入により非係止位置に後退可能であることを特徴とする前記（１）〜（３）のいずれか記載のコネクタ。
【００１８】
（５）  前記端子収納室の前記内壁にキー逃げ部が形成され、前記ランスは、前記キーが挿入されて前記ランスの先端背面に接した仮係止状態において前記端子の挿入により非係止位置に後退可能であることを特徴とする前記（１）〜（３）のいずれか記載のコネクタ。
【発明の効果】
【００１９】
本発明のコネクタによれば、キーを抜いた状態で端子を引き抜こうと電線を引っ張ると、端子の被係止部がランスの係止解除用テーパ面に接しながら移動し、引き抜き方向と直交方向の分力が作用してランスを係止位置から後退させるので、特殊な治具を必要とせずに小さな力でコネクタハウジングから端子を引き抜くことができる。
【発明を実施するための最良の形態】
【００２０】
以下、添付図面を参照して、本発明の実施形態を説明する。図１及び図２は本発明の１実施形態であるコネクタの要部断面図である。このコネクタの基本構成は図６〜図８に示す従来のものと同じであるので、従来と同じ構成については同符号を付して説明を省略あるいは簡略化し、従来と異なる構成のみ詳細に説明する。
【００２１】
コネクタは、ハウジング２０のタワー部２１内に端子収納室２４が設けられ、更にハウジング２０には端子収容室２４内に先端の突起６０が突出するように片持ち支持されたランス２５が形成されている。端子収納室２４には電線１５と接続された端子１０が収納される。
【００２２】
ランス２５は端子挿入方向に向けて片持ち支持されており、その先端には突起６０が設けられており、突起６０は端子収納室２４内に突出している。
【００２３】
図１の右側に部分拡大図を示すように、ランス２５の突起６０には、端子係止用テーパ面６２と係止解除用テーパ面６４が設けられている。端子係止用テーパ面６２は端子１０の被係止部１２を係止する傾斜面として形成されている。また、係止解除用テーパ面６４は端子係止用テーパ面６２とは逆の傾斜面として形成されている。係止解除用テーパ面６４は、ランス２５のみによる端子１０の仮係止状態を解除するために作用するものである。
【００２４】
図２に示すように、端子収納室２４の上部の内壁６６とランス２５との間の空隙には、端子２５を本係止するためのキー３３が挿入される。キー３３はフロントホルダ３０の一部として形成されており、ハウジング２０にフロントホルダ３０を装着することにより、キー３３が前記空隙に挿入されるようになっている。
【００２５】
ランス２５の突起６０に形成された係止解除用テーパ面６４は、キー３３が挿入される前の状態では、端子１５の被係止部１２に対向している。そして、端子１０に接続した電線１５が引き抜き方向に引っ張られると、端子１０の被係止部１２が係止解除用テーパ面６４に当接する。
【００２６】
ここで、端子１０が極めて弱い力で引っ張られた場合、端子１０は係止解除用テーパ面６４に当接したままの状態を維持されて仮係止され、端子１０の不測の脱落が防止される。また、端子１０が係止解除用テーパ面６４に当接したときよりも強い力で引っ張られると、端子１０の被係止部１２は係止解除用テーパ面６４と摺接して引き抜き方向に移動し、このときランス２５には引き抜き方向と直交方向（図中上方）の分力が作用する。すると、ランス２５は突起６０が端子係止位置から図中上方に後退するように撓み変形する。そして、ランス２５の突起６０が端子係止位置から後退すると、ランス２５による仮係止が解除され、端子１０をそのまま引き抜くことができるようになる。
【００２７】
したがって、キー３３が挿入されていない状態では、特殊な治具を用いずに電線１５を弱い力で引っ張るだけで端子１０を引き抜くことができる。
【００２８】
一方、図２に示すように、ランス２５の背面側にキー３３が挿入されると、キー３３の適正装着位置においては、ランス２５の背面側空隙の厚みよりもキー３３の厚みの方が大きいことから、ランス２５は図２中下方にわずかに撓む。すると、端子１０の被係止部１２にはランス２５の突起６０の係止用テーパ面６２が対向し、ランス２５はキー３３が挿入されたことにより端子係止位置から図２中上方への後退が不能になり本係止状態になる。したがって、端子１０が強い力で引き抜き方向に引っ張られても、被係止部１２がランス２５の係止用テーパ面６２により確実に係止されているので、端子１０が抜けることがない。また、係止用テーパ面６２は、ランス２５が本係止された状態においては端子１０の被係止面に対して鋭角となるように角度を設けることで端子１０が引き抜き方向に引っ張られた際に下方に撓むため、抜け止めがより効果的になる。なお、図２右側は要部拡大図である。
【００２９】
次に、本発明の第２実施形態を説明する。図３及び図４は本発明の第２実施形態の要部断面図であり、図５は第２実施形態の組み付け工程図である。
【００３０】
第２実施形態は、フロントホルダ３０が仮係止・本係止機能を有する構成である。第２実施形態が第１実施形態と異なるのは、端子収納室２４の上部の内壁６６にキー逃げ部６８が形成されている点である。したがって、図３において、第１実施形態と同じ構成については同符号を付して説明を省略あるいは簡略化する。
【００３１】
端子収納室２４のランス背面側の上部の内壁６６には、仮係止状態におけるキー３３が仮係止位置から後退できるようにキー逃げ部６８が形成されている。
【００３２】
また、ランス２５の背面側空隙の厚みはキー３３の厚みより小さくなっており、図４に示すように、フロントホルダの仮係止状態において、ランス２５の先端背面側にキー３３が挿入されている状態では、ランス２５は図４中下方にわずかに撓み変形する。このとき、端子１０の被係止部１２にはランス２５の先端の端子係止用テーパ面６２が対向するようになる。したがって、端子１０が引き抜き方向に引っ張られても、被係止部１２が端子係止用テーパ面６２に当接して係止されるので、端子１０が抜けることがない。図４の右側は要部拡大図である。
【００３３】
次に、図５（ａ）〜（ｆ）を参照して第２実施形態における端子１０の挿入から引き抜きまでを順に説明する。
【００３４】
図５（ａ）は仮係止前を表し、ハウジング２０の端子収納室２４内には何も挿入されていない。
【００３５】
図５（ｂ）はハウジング２０にフロントホルダ３１を装着しキー３３を仮係止位置まで挿入した仮係止状態であり、キー３３はランス２５の先端背面側に接しているが、端子収納室２４の上部の内壁６６には接していない。ここで、ランス２５の背面側空隙の厚みはキー３３の厚みより小さいので、キー３３がランス２５の背面側に挿入されると、ランス２５は図５（ａ）に示す位置からわずかに下方に撓んで変形し、本係止位置に設定される。
【００３６】
図５（ｃ）は端子挿入中の状態であり、端子１０は仮係止位置にあるランス２５とキー３３を仮係止位置から後退させるように上方に撓み変形させて、端子収納室２４に挿入される。端子収納室２４の上部の内壁６６にはキー逃げ部６８が形成されているので、キー３３は変形して仮係止位置から後退することができる。
【００３７】
図５（ｄ）は端子１０の挿入が完了した状態であり、ランス２５及びキー３３は元の仮係止状態に復帰し、端子１０の被係止部１２がランス２５の端子係止用テーパ面６２に係止されることで本係止され、端子１０の抜けが防止されている。
【００３８】
図５（ｅ）はキー３３を本係止位置まで達するように挿入しフロントホルダ３１を完全に装着した状態である。キー３３が本係止位置に達すると、キー３３の背面は端子収納室２４の上部の内壁６６に接するので、キー３３は変形することができなくなる。したがって、ランス２５及びキー３３は係止状態を固定された本係止状態となり、端子１０の抜けが確実に防止される。
【００３９】
図５（ｆ）は本係止状態にあったコネクタのハウジング２０からフロントホルダ３１を外して、キー３３を抜いた状態であり、図３に示す状態と同じである。フロントホルダ３１を外した状態では、端子１０の被係止部１２がランス２５の先端の係止解除用テーパ面６４に対向しているので、端子１０に接続した電線１５を引き抜き方向に引っ張ると、端子１０の被係止部１２が係止解除用テーパ面６４に摺接して、引き抜き方向と直交方向の分力によりランス２５を上方に後退させる。したがって、端子１０は係止が解除されて容易に引き抜かれる。このように、端子１０を引き抜くには、フロントホルダ３１を外してキー３３がランス２５と接しないようにするだけでよく、特殊な治具を使わずに容易に端子１０を引き抜くことができる。
【００４０】
上記のように、本発明の第１実施形態及び第２実施形態のコネクタによれば、キー３３を抜いた状態であれば、端子１０に接続した電線１５を引っ張るだけでランス２５による仮係止が解除されて端子１０を引き抜くことができるので、特殊な治具を用いずに端子１０を容易に外すことができる。
【００４１】
なお、本発明は非防水タイプのコネクタハウジングにも適用できる。
【図面の簡単な説明】
【００４２】
【図１】本発明の第１実施形態であるコネクタの要部断面図である。
【図２】本発明の第１実施形態であるコネクタの要部断面図であり、本係止状態を表す。
【図３】本発明の第２実施形態であるコネクタの要部断面図である。
【図４】本発明の第２実施形態であるコネクタの要部断面図であり、仮係止状態を表す。
【図５】本発明の第２実施形態のコネクタの組み付け工程図である。
【図６】従来のコネクタの分解断面図である。
【図７】従来のコネクタの端子挿入前の状態の断面図である。
【図８】従来のコネクタの組み付け完了後の断面図である。
【符号の説明】
【００４３】
１０  端子
１２  被係止部
１５  電線
２０  ハウジング
２１  タワー部
２４  端子収納室
２５  ランス
３３  キー
６０  突起
６２  端子係止用テーパ面
６４  係止解除用テーパ面
６６  端子収納室の上部の内壁
６８  キー逃げ部
【図１】
2008052974.tif 000003
【図２】
2008052974.tif 000004
【図３】
2008052974.tif 000005
【図４】
2008052974.tif 000006
【図５】
2008052974.tif 000007
【図６】
2008052974.tif 000008
【図７】
2008052974.tif 000009
【図８】
2008052974.tif 000010